Podtech/llm-jp-corpus-v4-ja_patent huggingface dataset:
(57)【要約】      （修正有）【課題】本考案は薬の取り出しが楽に成り、開閉口の開け間違いを無くし、お年寄りや、老眼、又、眼の不自由な方でも、薬を素早く時間を掛けずに、単独に取り出せ、コンパクトな状態でポケット、バックにも収納でき、ワンタッチファスナーを取り付ける事ができ、清潔で綺麗な状態で持ち歩く事が出来る、携帯用薬入れ袋を提供する。【解決手段】  錠剤、粉末、カプセル、顆粒等、薬の種類、服用内容に応じて、個別に分けて出し入れが出来る多重構造の袋であって、開閉口部分に厚みのある丸みを設けた段差２Ａ，２Ｂ，２Ｃを作り、その段差部分に視覚的、触覚的に、異なる色、異なる図形を施し、前記開閉口部分にファスナー３Ａを取り付けた携帯用薬入れ袋。【選択図】図１
0003113593.tif 000002
【実用新案登録請求の範囲】
【請求項１】
錠剤、粉末、カプセル、顆粒等、薬の種類、服用内容に応じて、個別に分けて出し入れが出来る多重構造の袋であって、開閉口部分に、厚みのある丸みを設けた段差を作り、その段差部分に、視覚的、触覚的に、異なる色、異なる図形を施し、前記開閉口部分にファスナーを取り付けた事を特徴とする携帯用薬入れ袋。
【考案の詳細な説明】
【技術分野】
【０００１】  本考案は、密封型携帯用薬入れ袋に関するものである。
【背景技術】
【０００２】薬入れ袋としては、市販のビニール袋か、薬剤師、薬局から貰った紙袋を使用しているが、破損し易く、毎日持ち歩く為には不潔で、携帯に大変不便である。
【考案の開示】
【考案が解決しようとする課題】
【０００３】  本考案は薬の取り出しが楽になり、開閉口の開け間違いを無くし、お年寄りや、老眼、又、眼の不自由な方でも、薬を素早く時間をかけずに、単独に取り出せ、コンパクトな状態でポケット、バックにも収納でき、清潔で綺麗な状態で持ち歩く事が出来る、携帯用薬入れ袋を提供することを課題とする。
【課題を解決するための手段】
【０００４】本考案が提供する薬入れ袋は、錠剤、顆粒、粉末、カプセル等、薬の種類、服用内容によって薬を個別に分けて出し入れ出来る多重構造袋であって、開閉口部分に、厚みのある丸みを設けた段差を作り、その段差に、視覚的、触覚的に、異なる色、異なる図形を施し、前記開閉口部分にファスナーを取り付けたことを特徴とするものである。
【考案の効果】
【０００５】  本考案によれば、
薬の種類、服用内容によって、大小の多重袋に分け入れる事が出来、薬本体の破損を防ぎ、安全な状態で、バッグ、ポケットに収納出来る。
開封口部分に厚みのある丸みを付け、指かけ部分を大きくした為、開閉時間を短縮出来る。
段差に異なる色わけ、異なる図形を付けた為、お年寄りでも、眼の不自由な方でも、開閉口の開け間違えが無くなり、薬の取り出し時間を短縮、服用出来る。
安全に持ち歩くのに便利である。
外部からの異物、埃を防ぐことができる。
【考案の実施するための最良の形態】
【０００６】本考案の最良の形態を実施例によって、図１，２を参照しながら説明する。
図１、２において、１は薬入れ袋本体である。
１−大は、粉末、顆粒等の薬を入れる袋。
１−小は、錠剤、カプセル等を入れる袋。
開閉口段差部分２Ａは青、開閉口段差部分２Ｂは黄、開閉口段差部分２Ｃは赤でそれぞれ色分けされている。
前記開閉口段差部分２Ａ、２Ｂ、２Ｃ、には、六角、三角、丸の異なった凹凸図形を付ける。
３Ａ、３Ｂは、前記袋１−大、１−小の開口部に取り付けたファスナーである。
袋本体は、透明ビニール製である。
【０００７】少し厚めの透明ビニールで制作してあるので、開閉口部分、本体も破損し難く中も見やすい。
【０００８】開閉口段差部分の異なる色分けも、ビニール素材であるから、確りとした色づけや、絵、柄が可能である。
【０００９】本体はビニール製だが、本体強化の為、ビニール自体に化学合成繊維又は一般の繊維質を含んでいる素材を使用することも出来る。
【００１０】袋本体は、大小の二重袋で出来ているが、三重、四重の多重袋も可能である。
又、袋本体の裏側を二重にして、薬の内容書を挿し入れる事も可能である。
【００１１】本考案は透明ビニール製だが、中の薬が透けて見える程度の色付き、絵、柄等のプリントも可能である。
【００１２】本考案の密封部分は、ワンタッチファスナーを使用しているが、マジックファスナー、ボタン、ホック、上蓋式も可能である。
【００１３】本考案の薬入れ袋は長方形であるが、薬の量と種類、又、子供と大人、男性と女性、使用年齢により、大きさ、形を変える事も可能である。
【００１４】薬入れ袋本体の異なる形として、動物、花、果物、四画、円、又は、中折れ式財布型なども可能である。
【００１５】開閉口段差部分に穴を開け、紐、鎖を通し首から提げる事も可能である。
【００１６】本考案の本体はビニール製だが、型崩れがしにくい素材であれば、化学繊維製品、革製品、合成革、布製品等、色々な素材の使用が可能である。
【図面の簡単な説明】
【００１７】
【図１】実施例の薬入れ袋を示す斜視図である。
【図２】図１の縦断面図である。
【符号の説明】
【００１８】１、    袋本体  １−大，１−小、  袋
２Ａ、２Ｂ、２Ｃ、開閉口段差部分
３Ａ、３８、      ファスナー
【図１】
0003113593.tif 000003
【図２】
0003113593.tif 000004
(57)【要約】【課題】  本考案は、網戸に不織布を張ることによる、花粉、粉塵を遮断した換気装置において、実用時における風雨、変形問題を解決し、室内の快適空間を持続させるものである。【解決手段】  花粉遮断可能な不織布に、裁断可能で張力に耐える素材を格子状に接着し、全体に撥水加工を施すことにより耐久性が増し、機能の低下を防ぐことが出来る。そしてそれを網戸に張ることで、花粉や粉塵を防いだ快適な室内空間が持続する。【選択図】図１
0003113600.tif 000002
【実用新案登録請求の範囲】
【請求項１】
網戸枠に対して、補強し、撥水加工された、風雨変形に耐える花粉遮断可能な不織布を取り付け、室内を快適に保つ換気装置。
【考案の詳細な説明】
【技術分野】
【０００１】  本考案は、不織布に補強加工と、撥水加工を施し、網戸を利用した換気装置に関するものである。
【背景技術】
【０００２】  花粉症を持つ人の増加に伴い、花粉を除去する方法も増え、そのひとつに網戸に不織布を張る方法がある。
【考案の開示】
【考案が解決しようとする課題】
【０００３】  網戸に対して不織布を張るということは、花粉、粉塵を防ぐことが出来るが、雨によって、不織布は濡れてしまい通気性が低下し、強風時には、風圧によって変形を起こしてしまう。
本考案は、これらの欠点の解決を目的としている。
【課題を解決するための手段】
【０００４】  花粉遮断可能な不織布は、柔らかいため、裁断可能で張力に耐える素材を格子状に不織布に接着する。そして、その不織布に撥水加工を施すことにより、問題点は解決される。
【考案の効果】
【０００５】  本考案により、この装置は、花粉や粉塵に対するアレルギーを持つ人や、乳幼児、お年寄り、全ての人々に対して安価な材料で、今ある室内を快適な空間として持続させることが、可能となる。
【考案を実施するための最良の形態】
【０００６】  家庭用網戸の枠に、本考案に係る補強、撥水加工された不織布を、両面テープ、粘着テープを使い、隙間のない様に取り付け、ガラス戸と網戸の隙間には、目張りをする。
同様の事を別の網戸で行なえば、自然風による換気、換気扇を使用すれば、強制換気が可能となる。そして、花粉で不織布が黄色に変色した状態で、張り替えを行なう。
【図面の簡単な説明】
【０００７】
【図１】  本考案に係る補強、撥水加工された不織布の正面図である。
【図２】  補強撥水加工された不織布の網戸への取付け方法を示す斜視図である。
【図３】  図２の取付け後のＡ−Ａ断面図である。
【図４】  網戸とガラス戸の隙間への目張り方法の一例を示す斜視図である。
【図５】  換気扇による強制換気の一例を示す建物平面図である。
【図６】  自然風による換気の一例を示す建物平面図である。
【符号の説明】
【０００８】  １  補強、撥水加工された不織布
２  両面テープ
３  ガラス戸
４  網戸
５  目張り用テープ
６  換気扇
７  空気の移動方向
【図１】
0003113600.tif 000003
【図２】
0003113600.tif 000004
【図３】
0003113600.tif 000005
【図４】
0003113600.tif 000006
【図５】
0003113600.tif 000007
【図６】
0003113600.tif 000008
(57)【要約】      （修正有）【課題】高い吸水性と心地よい肌触りを実現すると共に、実用性や汎用性に優れ、さらには外観的にもファッション性や優雅さを兼ね備えることができるハンカチを提供すること。【解決手段】ハンカチ１の基布本体２をタオル地で形成すると共に、前記基布本体にレース布３を縫着させた。【選択図】図１
0003113598.tif 000002
【実用新案登録請求の範囲】
【請求項１】
ハンカチの基布本体をタオル地で形成すると共に、前記基布本体にレース布を縫着させたことを特徴とするハンカチ。
【請求項２】
前記基布本体に編布を縫着させた請求項１記載のハンカチ。
【請求項３】
前記基布本体に織布を縫着させた請求項１記載のハンカチ。
【考案の詳細な説明】
【技術分野】
【０００１】  本考案は、使用時における高い吸水性と心地よい肌触りを実現すると共に、ファッション性や優雅さを兼ね備えることができるハンカチに関する。
【背景技術】
【０００２】  従来、外観面で高級感や気品を醸し出すことができ、さらに、実用面で吸水性やソフトな肌触りが得られるニット製ハンカチがある（例えば、特許文献１参照）。
上掲特許文献１のニット製ハンカチは本出願人により出願されたもので、ハンカチの本体部分をニット編みにて編成し、本体部分にガーゼ布を縫着させたことにより形成されている。
【特許文献１】登録実用第３０６５４５２号公報（第１−２頁、図１、図２）
【考案の開示】
【考案が解決しようとする課題】
【０００３】  上掲ニット製ハンカチは、ハンカチの本体部分をニット編みにて編成することで、吸水性やソフトな肌触りが得られ、さらに本体部分にガーゼ布を縫着させたことにより、見栄えが高まるという効果が得られる。【０００４】  そこで本考案は、上記した従来技術の持つ特徴を保持しつつ、高い吸水性と心地よい肌触りを実現すると共に、実用性や汎用性にも優れ、さらには外観的にもファッション性や優雅さを兼ね備えることで、より広い購買層を求めることを目的としたハンカチを提供することにある。
【課題を解決するための手段】
【０００５】  上記課題を解決するために、本考案のハンカチは、ハンカチの基布本体をタオル地で形成すると共に、前記基布本体にレース布を縫着させたことを特徴とする。また前記基布本体に編布を縫着させた。さらに前記基布本体に織布を縫着させた。
【考案の効果】
【０００６】  ハンカチの基布本体にタオル地を用いることで、タオル地特有の高い吸水性や心地よい肌触りが得られ、優れた汎用性や利便性が実現できる。さらに、タオル地にレース布、編布、織布を縫着することで、外観面におけるファッション性や優雅さを醸し出すことができる。さらには、レース布等のデザインを変えることで、バリエーションを自在に演出することも可能となる。
【考案を実施するための最良の手段】
【０００７】  以下、本考案におけるハンカチの実施の形態を図面に基づいて説明する。
図１乃至図３に示すハンカチ１は、ハンカチ１の基布本体２をタオル地で形成すると共に、前記基布本体２にレース布３を縫着させたことを特徴とする。
【０００８】  本考案のハンカチ１を構成する基布本体２は、吸水性や汎用性の高いタオル地にて形成されている。前記タオル地は織タオルまたは編タオルからなり、かかるタオル地をハンカチ１の基布本体２に用いることで、タオル地特有の高い吸水性と心地よい肌触りが得られると共に、製造コストの軽減も実現できる。
【０００９】  また、前記基布本体２の表面にはレース布３が縫着されている。かかるレース布３は、糸を撚り合わせたり、編んだり組み合わせたりすることにより、全体に飾り文様を現すことを特徴とする布地である。前記レース布３は、プレーンネット、カーテンレース、リバーレース、トーションレース、カットニット、チュールエンブ、ラッセルレース等の糸製レースや、エンブロイダリーレースの布帛レース、また薬品処理を行うケミカルース（エンブ）等が使用される。また前記レース布３は、基布本体２の周囲にロックにて縫着されている。
【００１０】  また他の好適例として、図４に示すように、前記基布本体２の表面に汎用の編布４や織布５を縫着してもよい。かかる編布４や織布５は、外観的に高級感を醸し出すものであれば、特に素材やデザイン等を限定するものではない。
【００１１】  前記タオル地にレース地３や編布４、また織布５を縫着することで、ハンカチ１のファッション性や優雅さを醸し出すことができる。さらには、レース布３等の種類やデザインを変えることで、ハンカチ１全体のバリエーションを自在に演出することも可能となる。
【図面の簡単な説明】
【００１２】
【図１】本考案のハンカチの全体斜視図である。
【図２】前記ハンカチの裏面を示す斜視図である。
【図３】前記ハンカチの拡大断面図である。
【図４】他の好適例を示すハンカチの拡大断面図である。
【符号の説明】
【００１３】１  ハンカチ
２  基布本体
３  レース布
４  編布
５  織布
【図１】
0003113598.tif 000003
【図２】
0003113598.tif 000004
【図３】
0003113598.tif 000005
【図４】
0003113598.tif 000006
(57)【要約】      （修正有）【課題】恋人同士がひとつのジュース缶で飲みたいと言う願望をかなえるとともに、ストローを付けることにより雰囲気を高めるようにし、缶を中で仕切ることにより清潔感も確保するとともに、二種類のジュースの組み合わせが可能となり、おじいちゃんとおばあちゃん、親子、友人等さまざまな人たちがコミュニケーションの手段として使える缶の提供。【解決手段】缶は横幅の広めのものとする。缶の中に缶と同素材又は体に害のでない素材で仕切りをいれる。缶の開け口を仕切りで分けられた缶の上部の左右につける。缶に包装された伸縮可能なジャバラ状のストローを接着剤でつける。【選択図】図１
0003113549.tif 000002
【実用新案登録請求の範囲】
【請求項１】
１つの缶に二つの開け口を付け、缶の中を二つに仕切り（開け口を仕切りの左右にする）、伸縮可能なジャバラ状のストローを二本付けることにより、１つのジュース等を二人で飲めるようにした。缶の中を仕切ることにより清潔感も確保した。また二種類のジュースの組み合わせが可能となった。恋人、親子、友人、お年寄り同士等さまざまな人達のコミニケーションの手段として使えるようにしたＬＯＶＥ缶。
【考案の詳細な説明】
【考案の詳細な説明】
【技術分野】
【０００１】本発明は、一つの缶に二つの開け口を付け、缶を中で二つに仕切り、包装された伸縮可能なジャバラ状のストローを二本付けることにより恋人、親子、友人、お年寄り同士等さまざまな人達のコミニケーションの手段として使えるようにした。
【背景技術】
【０００２】従来は、缶に二つの開け口、仕切り、ストロー付きのものもなかった。
【考案が解決しようとする課題】
【０００３】恋人同士がひとつのジュース缶で飲みたいとゆう願望をかなえるとともに、ストローを付けることにより雰囲気を高めるようにした。缶を中で仕切ることにより清潔感も確保した。おじいちゃんとおばあちゃん、親子、友人等さまざまな人たちがコミュニケーションの手段として使える。仕切り左右に異なる二種類のジュースを入れることが可能となった。
【課題を解決するための手段】
缶は横幅の広めのものとする。缶の中に缶と同素材又は体に害のでない素材で仕切りをいれる。缶の開け口を仕切りで分けられた缶の上部の左右につける。缶に包装された伸縮可能なジャバラ状のストローを接着剤でつける。
【考案を実施するための最良の形態】以下、本考案の実施の形態について説明する。
（イ）仕切りの付いた、二つの開け口の缶を作る。
（ロ）ジュース等を入れる。（普通のジュース缶の作り方による。）
（ハ）包装した伸縮可能なジャバラ状のストローを接着剤で付ける。
【考案の効果】
【０００６】恋人同士がひとつのジュース缶で飲みたいとゆう願望をかなえられる。コンパや宴会その他さまざまな場所で雰囲気を盛り上げられる。親子、夫婦、友人等さまざまな人たちがコミュニケーションの手段としてつかえる。二つに仕切る事により清潔感を確保するとともに、二種類のジュースの組み合わせが可能となった。
【図面の簡単な説明】図１
考案した器具の斜視図である。
図２
考案した器具の平面図である。
符号の説明
１    缶
２    仕切り
３    開け口
４    包装したジャバラ状のストロー
【図１】
0003113549.tif 000003
【図２】
0003113549.tif 000004
【手続補正書】
【提出日】平成17年2月18日(2005.2.18)
【手続補正１】
【補正対象書類名】実用新案登録請求の範囲
【補正対象項目名】全文
【補正方法】変更
【補正の内容】
【実用新案登録請求の範囲】
【請求項１】
１つの缶に二つの開け口（ビール缶などに使われているプルトップ）を付け、缶の中を二つに仕切り（プルトップを仕切りの左右にする）、伸縮可能なジャバラ状のストローを二本付けたＬＯＶＥ缶。
【手続補正書】
【提出日】平成17年5月26日(2005.5.26)
【手続補正１】
【補正対象書類名】実用新案登録請求の範囲
【補正対象項目名】全文
【補正方法】変更
【補正の内容】
【実用新案登録請求の範囲】
【請求項１】
プルトップが仕切りの左右となるように缶の中を２つに仕切り、伸縮可能なジャバラ状のストローを二本付けた缶。
(57)【要約】【課題】  本考案は灯油ポリタンク内に仕切り板を設けあらかじめストーブに給油する灯油を計量しておくことにより灯油あふれ事故を防止することです。【解決手段】  本考案は灯油ポリタンクを透明にし、スタンド等での給油を簡単にし、またタンクのキャップを赤くすることで中身が灯油であることをイメージさせ、タンク内には仕切り板を設けストーブへの給油時灯油をあらかじめセパレートすることでストーブへの給油のしすぎを防止しするものです。【選択図】  図１
0003113550.tif 000002
【実用新案登録請求の範囲】
【請求項１】
ポリタンクの中身が給油時あふれないか、どの位置から見ても確認できるよう透明にする。
【請求項２】
ポリタンク内に仕切りを設け一定容積をセパレートできるようにしておく、なをこの仕切りはセパレートされた灯油が空になったとき簡単に給油できるようタンク上方に穴もしくは空間を持たせ、その給油方法はタンクを横に倒すもしくは逆さにする等で要を成します。
【請求項３】
タンクの底の角に滑り止めを貼る。これはセパレートタンクに灯油を移す際タンクそのものを倒すため、ポリタンクが走るように滑っていかないようにするためのものです。
【請求項４】
セパレートタンク内に透明パイプを付けその中に赤い浮きを入れメモリとする。
【請求項５】
赤い浮きの入ったメモリの利便性のために黒く細いラベルマークを付属する。これによりメモリをいちいち読まなくてすみます。
【請求項６】
タンクの給油上限には黒いレベルラインを一周えがき、タンク使用時にはこれを水平器として使います。
【考案の詳細な説明】
【技術分野】
【００１】  本考案は灯油ポリタンクに仕切りを設けそれをセパレートタンクとしあらかじめストーブのカートリッジなどへの必要分を誰でも給油前に簡単に計量しておくことにより灯油あふれ事故を防止することにあります。
【背景技術】
【００２】  １８リットルや２０リットルのポリタンクに小売された灯油は一般家庭でストーブやそのカートリッジタンク等にサイフォンポンプや電動ポンプを使い給油されますが、大人、子供問わずついうっかりして灯油をあふれさせる事故を起こします。
【考案の開示】
【考案が解決しようとする課題】
【００３】  現在売られている赤い灯油タンクは中身が見えずスタンドで給油の際つい灯油のポリタンクをのぞいてしまいますが透明にすれば便利です。ポリタンクよりストーブのタンクへの給油は各家庭のベランダ、又は室内などでも行われ、時には子供がこれらの仕事を務めており、ついうっかり起こしてしまう危険な灯油あふれ事故を低コストのポリタンクで解決できます。
【問題を解決するための手段】
【００４】  本考案は小売されたポリタンクの中に仕切りを設けそれをセパレートタンクとし、それはストーブのカートリッジタンクと同等容積とし、さらに細かい給油が簡単にできるようセパレートタンクには赤い浮きの入ったメモリを備え、なをかつメモリの位置を覚えやすくするため細く黒いラベルマークを付属させます。タンク全体ではセルフガソリンスタンドなどでの給油時、給油口より中をのぞくような行為をしないですむよう容器は透き通る様な透明なものとする。反して蓋は赤いものとし、中身が灯油であることを意識させる。タンクの給油上限レベルを水平に表示し給油時にポリタンクを水平に置くことを助ける。タンクの底には滑り止めを貼り付ける、これはセパレートタンクが空となりタンクを手前や横に倒すときタンクがすべることを防止するためです。
【考案の効果】
【００５】  上述のように、本考案のポリタンクはあらかじめセパレートされた灯油のみ給油できそれ以上の量はポンプを作動させた後、目をそらしても給油は停止されます。タンクの水平設置もタンク上部に表示された給油上限レベルを見れば簡単です。セパレートタンクへの給油も簡単でキャップを硬く閉めタンクを手前か横に倒すだけですみます。透明なタンクはショックなほど斬新ですがガソリンスタンドでの給油の助け、又底にたまった不純物さえもみつけられます。キャップの色が赤なので中身が灯油と意識されます。メモリとなる赤い浮はサブタンク内の灯油の計量ができ、ほんの１リッター給油したいときなどにも対応します。付属の細く黒いラベルマークは一概に４リッター５リッター６リッターとならないストーブにも対応できます。
【考案を実施するための最良の形態】
【００６】  本考案のポリタンクはガソリンスタンドでの給油は水平な場所であればセパレートされていない側のタンクに上限レベルまで今までのポリタンクとなんら変わりなく給油できます。一回目のストーブへの給油は上限レベルを見ながら水平に設置しセパレートタンク側の灯油をポンプで最後までくみ上げます、二回目以降はサブタンクへの給油が必要ですのでキャップをきつく閉めポリタンクを手前か横に倒しサブタンクを満たし、ストーブへ給油します。
【実施例】
【００７】  以下添付図面に従って実施例を説明します。１は耐久性のプラスチック等適宜素材にて成型されたタンク本体、２は灯油のメインタンク、３はセパレートタンク、４はセパレートタンクとメインタンクを分ける仕切り、５はタンク全面に水平に黒い線で書かれた給油上限レベルでスタンド等での本タンクへの給油時やストーブへの給油時にこのレベルを見てタンクを水平にします。６は給油口キャップで本タンクへの給油時に用います。７は取っ手、８は汲み出し用キャップでストーブへの給油時はこのキャップを開けポンプをタンクの底まで入れ込み給油します。９はメモリを読むための赤い浮き、１０は浮きの入るメモリ用パイプ、１１はタンクを横又は手前に倒したときすべるのを防止するためもの、１２は本タンクに付属するメモリを次回読まずに済ませるためのシールを貼った状態です。
【図面の簡単な説明】
【００８】
【図１】本考案のポリタンクの正面図です。
【図２】本タンクの右側面です。
【符号の説明】
【００９】１    タンク本体
２    メインタンク
３    セパレートタンク
４    仕切り板
５    給油上限レベル
６    給油口キャップ
７    取っ手
８    汲上口用キャップ
９    浮き
１０  メジャー用パイプ
１１  滑り止め
１２  ラベル
【図１】
0003113550.tif 000003
【図２】
0003113550.tif 000004
【手続補正書】
【提出日】平成17年3月17日(2005.3.17)
【手続補正１】
【補正対象書類名】実用新案登録請求の範囲
【補正対象項目名】全文
【補正方法】変更
【補正の内容】
【実用新案登録請求の範囲】
【請求項１】
タンク本体は透明で、赤い給油キャップと、タンク本体に一周えがかれたレベルラインと、タンク本体の底部に貼り付けられた滑り止めを特徴とし、タンク本体内には仕切板を設け、仕切られた一方のセパレートタンク内には赤い浮きを特徴とするレベルゲージを設けたことを特徴とする灯油あふれ事故防止タンク。
(57)【要約】【課題】めっき表面にポリエチレンの樹脂塗膜を有する自転車用荷籠よりも、さらに長期間に亘って錆の発生を防止し、よりめっきの輝きのよい美観に優れたものを得る。【解決手段】自転車用荷籠を形成する鋼線２の表面に、クロームめっき層３を設け、その表面にアクリル系樹脂塗膜４を施した。【選択図】図１
0003113866.tif 000002
【実用新案登録請求の範囲】
【請求項１】
鋼線の表面をめっきし、その表面に透明な樹脂塗膜を施した自転車用荷籠において、上記樹脂塗膜がアクリル系樹脂塗膜であることを特徴とする自転車用荷籠。
【請求項２】
上記めっきがクロームめっきである請求項１記載の自転車用荷籠。
【考案の詳細な説明】
【技術分野】
【０００１】
この考案は、鋼線製の自転車用荷籠に関するものである。
【背景技術】
【０００２】
従来、鋼線製の自転車用荷籠には、美観と耐食性を向上させるために、鋼線の表面をめっきし、さらにその表面に透明な樹脂塗膜を施したものがある。
このように、めっきをした鋼線の表面に、さらに樹脂塗膜を施した自転車用荷籠は、樹脂塗膜を施していない自転車用荷籠よりも、当然のことながら耐食性に優れている。
【考案の開示】
【考案が解決しようとする課題】
【０００３】
ところが、実際は、めっきの表面に樹脂塗膜を施したとしても、それほど長期間に亘って、錆の発生を防止することができず、短期間で錆が発生するという問題があった。
【０００４】
この原因について検討したところ、めっき表面の樹脂塗膜は、従来、めっきした後に、４００℃程度まで加熱した自転車用荷籠を、ポリエチレン樹脂の粉体層に挿入して、自転車用荷籠の表面にポリエチレン樹脂を溶着するという方法で形成されており、加熱の際に、めっき層にクラックが入り、めっき層自体が傷つけられることが原因ではないかと考えられる。
【０００５】
そこで、この考案は、めっき表面の樹脂塗膜を検討し、ポリエチレンの樹脂塗膜を有する従来の自転車用荷籠よりも、長期間に亘って錆の発生を防止しようとするものである。
【課題を解決するための手段】
【０００６】
この考案は、上記の課題を解決するために、めっき表面にアクリル系樹脂塗膜を施したのである。
【０００７】
アクリル系樹脂塗膜は、自転車用荷籠をアクリル系樹脂溶液に浸漬後、常温で乾燥、あるいは１２０〜１３０℃程度の熱風乾燥することにより、被覆することができるため、自転車用荷籠の鋼線表面のめっき層の加熱による傷付きを防止できる。
アクリル系樹脂は、ガラスよりも透明度が高い樹脂で、軽量で強度があり、耐候性にも優れている。
【考案の効果】
【０００８】
以上のように、この考案に係る鋼線素材の自転車用荷籠は、熱による傷付きを防止しためっき層の表面にアクリル系樹脂塗膜を形成しているため、長期間に亘り、錆の発生を防止でき、アクリル系樹脂塗膜によってめっきの輝きがより引き立てられて美しい美観を呈する。
【考案を実施するための最良の形態】
【０００９】
この考案に係る自転車用荷籠を、図１に基づいて説明する。
図１の自転車用荷籠１は、鋼線２を溶接することにより組立てられており、組立て後に、鋼線２表面にクロームめっきを施している。
図２の符号３は、クロームめっき層を示している。
【００１０】
上記クロームめっき層３の表面には、アクリル系樹脂塗膜４を施している。
アクリル系樹脂塗膜４は、クロームめっきを施した自転車用荷籠を、アクリル系樹脂の溶液中に浸漬し、その後、常温又は１２０〜１３０℃程度で熱風乾燥することにより形成することができる。
【図面の簡単な説明】
【００１１】
【図１】この考案に係る自転車用荷籠を取り付けた自転車の側面図である。
【図２】この考案に係る自転車用荷籠の鋼線素材の拡大断面図である。
【符号の説明】
【００１２】
１  自転車用荷籠
２  鋼線
３  めっき層
４  アクリル系樹脂塗膜
【図１】
0003113866.tif 000003
【図２】
0003113866.tif 000004
(57)【要約】【課題】音を聞く機能の他に、耳つぼを刺激する効果がある磁石などの、耳つぼ刺激物質が付いたイヤホンを提供する。【解決手段】イヤホン（１）に磁石（２）などの耳つぼを刺激する物質を取り付ける事を特徴とする。【選択図】  図１
0003113803.tif 000002
【実用新案登録請求の範囲】
【請求項１】
イヤホン（１）に、磁石（２）などの耳つぼを刺激する物質を取り付けた耳つぼ刺激物質付きイヤホン。
【考案の詳細な説明】
【技術分野】
【０００１】  この考案は、イヤホンに磁石などの耳つぼ刺激物質を付けた、耳つぼを刺激するイヤホンに関するものである。
【背景技術】
【０００２】  従来、音を聞く目的だけのイヤホンや、耳つぼに、磁石などの耳つぼ刺激物質を貼り付けるだけのシールがあった。
【考案の開示】
【考案が解決しようとする課題】
【０００３】  これは次のような欠点があった。
（イ）イヤホンは、音楽、音声、音を聞く目的のものでしかなかった。
（ロ）耳つぼを刺激する物質を貼り付けるシールは、手間がかかり、長時間つけると、汚れてくるので衛生的に良くなかった。
本考案は、これらの欠点を除くためになされたものである。
【課題を解決する為の手段】
【０００４】  イヤホン（１）に、磁石（２）などの耳つぼを刺激する物質を取り付ける。
本考案は、以上のような構成よりなる耳つぼ刺激物質付きイヤホンである。
【考案の効果】
【０００５】  考案は、以上のような構造で、これを使用するときは、通常のイヤホンのように使用すれば、音を聞く機能に加えて、耳つぼを刺激する効果が得られる。
なお、磁石（２）の代わりに耳つぼを刺激する物質として、金、金粒、銀粒、チタン、トルマリン、ゲルマニウム、ゴム磁石等を装着したり、本体を突起形状にしてもよい。
さらに、イヤホン（１）への磁石（２）などの耳つぼを刺激する物質の取り付け方法は、図１のようにイヤホン一体型に形成する他に、図３のように、イヤホンカバー（３）と磁石（２）などの耳つぼを刺激する物質を一体型にして、図４のようにイヤホンにイヤホンカバーを取り付ける要領で取り付けてもよい。
【考案を実施する為の最良の形態】
【０００６】  以下、本考案の実施の形態について説明する。
イヤホン（１）に耳つぼを刺激する物質として磁石（２）を取り付ける。
本案を使用するときは、通常のイヤホンと同じ使い方をする。すると、音を聞く機能に加えて、耳つぼを刺激する効果が得られる。
【図面の簡単な説明】
【０００７】
【図１】  本考案の斜視図である。
【図２】  本考案の平面図である。
【図３】  図４の他の実施例のイヤホンカバーを示す斜視図である。
【図４】  本考案の他の実施例を示す斜視図である。
【符号の説明】
【０００８】  １    イヤホン    ２  磁石    ３イヤホンカバー
【図１】
0003113803.tif 000003
【図２】
0003113803.tif 000004
【図３】
0003113803.tif 000005
【図４】
0003113803.tif 000006
(57)【要約】      （修正有）【課題】遊技機の紹介や、新装開店などの案内をドル箱側面についた突起物に着脱可能なポップなど差し込んでアピールしドル箱底面に付いた凹凸ストッパーで安定するようにする。【解決手段】パチンコ玉やスロットメダルを収納するための上面が開放されたプラスチック製容器であって、側面についた突起物を使い着脱可能なポップなど差し込み今まで遊技者や第三者に対してパチンコ店から十分にアピール出来ていなかった遊技機の紹介や新装開店などの案内を行えるようにし、ドル箱底面に付いた凹凸ストッパーで積み重ねたドル箱を固定し安定させて用いる。【選択図】図１
0003113806.tif 000002
【実用新案登録請求の範囲】
【請求項１】
側面上部にポップストッパーのついたドル箱を裏返しに敷き、その上に同じドル箱を上に載せると、下に引いたドル箱のポップストッパーと上に載せたポップストッパーによって側面に着脱可能なポップや広告媒体を挟み込めることを特徴としたドル箱。
【請求項２】
側面に付いたポップストッパーによって着脱可能なポップや広告媒体を挟み込めることを特徴としたドル箱。
【請求項３】
ドル箱底面についた凹凸ストッパーによって、ドル箱を積み上げた時に、安定させ固定することが出来ることを特徴とするドル箱。
【考案の詳細な説明】
【考案の詳細の説明】
【技術分野】
【０００１】本考案は、パチンコホールにおいて。遊技者等がパチンコ玉、スロットメダルの運搬に使用するドル箱１に関する。
【背景技術】
【０００２】従来のドル箱において、パチンコ玉、スロットメダルを収納するだけの機能を有している。
【考案の開示】
【考案が解決しようとする課題】
【０００３】しかし、従来のドル箱では、ドル箱にパチンコ玉やコインを貯留している時に遊技者や第三者に対してパチンコ店からのアピールが十分に出来なかった。そこで、ドル箱の側面の形状を改善して、ポップや広告媒体を挟み込めるようにし遊技者や第三者に対してパチンコ店からのアピールが十分に出来るようにした。
そして、ポップや広告媒体を挟み込む際ドル箱がズレ落ちたりして、ドル箱内に貯留されているメダルなどがこぼれ落ちないように、ドル場底部分の形状を改善して凹凸ストッパーを付けドル箱を固定出来るようにした。
【課題を解決するための手段】
【０００４】この目的はドル箱の側面部分にポップストッパーを作り、ポップや広告媒体を、玉箱側面上部に設置したポップストッパーに、滑り込ませて時と場合に合った内容のポップや広告を簡単に入れ替えることが出来るので、パチンコ店から遊技者や第三者に対して十分にアピールが出来る。
そして、ポップや広告媒体を挟み込む際ドル箱がズレ落ち、ドル箱内に貯留されているメダルなどがこぼれ落ちないように、ドル箱底部分の形状を改善して凹凸ストッパーを付けドル箱を固定することによって遊技者や第三者に対して安心感を与えることが出来る。
【考案の効果】
【０００５】パチンコ店から遊技者や第三者に対して新装開店や新台イベントなどの告知を十分にアピールが出来きるし、積み上げたドル箱を固定することが出来るので遊技者や第三者に対して安心感を与える。
【考案を実施するための最良の形態】
【０００６】側面上部にポップストッパーのついたドル箱を裏返しに敷き、その上に同じドル箱を載せ凹凸ストッパーで上部のドル箱と下部のドル箱を固定させて、下に引いたドル箱のポップストッパーと上に載せた突起物によって側面に着脱可能なポップや広告媒体を挟み込んで用いられる。
【実施例】
【０００７】ドル箱の側面上部についているポップストッパーで着脱可能なポップや広告媒体などを挟み込みパチンコ店から遊技者や第三者に対して、遊技機の案内や新装開店等の案内が行える。【０００８】又、ドル箱底面に付いた凹凸ストッパーによりドル箱を固定させることが出来るので遊技者や第三者に対して安心感を与える。【０００９】なお、ドル箱側面上部についているポップストッパーと、ドル箱底面についている凹凸ストッパーの形態は限定されず、他の形態のものでも良い。
【図面の簡単な説明】
【図１】本考案に係るドル箱側面の正面図である。
【図２】本考案に係るドル箱の斜視図である。
【図３】本考案に係るドル箱の積み上げ時側面の正面図である。
【図４】本考案に係るドル箱を積み上げポップや広告媒体を装着した時の正面図である。
【符号の説明】
１、ドル箱
２、ポップや広告媒体
３、ポップストッパー
４、凹凸ストッパー
５、取っ手
【図１】
0003113806.tif 000003
【図２】
0003113806.tif 000004
【図３】
0003113806.tif 000005
【図４】
0003113806.tif 000006
(57)【要約】【課題】  ゴルフのティーショットの際にゴルフティーをポケットなどからの出し入れの面倒な作業を省き簡単にクラブシャフトに装着、取り外しのできる便利なゴルフティーを提供するものである。【解決手段】  ゴルフティー本体にクリップ部を設けることでクラブシャフトに装着、取り外しが簡単に出来る。【選択図】  図１
0003113807.tif 000002
【実用新案登録請求の範囲】
【請求項１】
ゴルフを行う際に用いられるゴルフティーであって、ティー本体にクラブシャフトに脱着可能な形状のクッリプを有することを特徴とするゴルフティー。
【考案の詳細な説明】
【技術分野】
【０００１】本考案は、ゴルフティーに関するものである。
【背景技術】
【０００２】  従来のゴルフティーは、携帯する時にポッケトなどに入れ使用するたびに出し入れをし、特に雨の時は面倒である。
【考案の開示】
【考案が解決しようとする課題】
【０００３】  本考案は、ティーショットする際ゴルフティーをクラブシャフトから簡単取り外せ、打ち終わったらクラブシャフトに簡単に装着できるゴルフティーである。
【課題を解決するための手段】
【０００４】  上記の課題を解決すべく本考案はティー本体にクラブシャフトに脱着可能な形状のクリップを有する事を特徴とするゴルフティーである。
【考案の効果】
【０００５】本考案のゴルフティーは、ティー本体にクリップを有しゴルフティーの使用前後にポッケットなどからの面倒な出し入れを省き簡単にクラブシャフトに装着、取り外しのできる便利なゴルフティーである。
【考案を実施するための最良の形態】
【０００６】以下、図面に示す実施の形態により本考案を詳細に説明する。図面に於いて、図１は本考案によるゴルフティーの斜視図である。図２は本考案によるゴルフティーの好適な別の実施例の斜視図である。図３は本考案のゴルフティーをクラブシャフトに装着時の平面図である。図４は従来のゴルフティーの１例の斜視図である。
【実施例１】
【０００７】  本考案のゴルフティーは図１、図２に示すようにティー本体にクリップを有し、図３に示すようにクラブシャフトに脱着出来るゴルフティーである。
【図面の簡単な説明】
【０００８】
【図１】  本発明によるゴルフティーの斜視図である。
【図２】  本発明によるゴルフティーの好適な別の実施例の斜視図である。
【図３】  本発明によるゴルフティーをクラブシャフトに装着時の平面図である。
【図４】  従来のゴルフティーの１例の斜視図である。
【符号の説明】
【０００９】  １０．１００．ゴルフティー
１１．１１０．軸体
１２．クリップ
１３．１３０．ボール載置部
２０．ボール
Ａ．クラブヘッド
Ｂ．クラブシャフト
【図１】
0003113807.tif 000003
【図２】
0003113807.tif 000004
【図３】
0003113807.tif 000005
【図４】
0003113807.tif 000006
(57)【要約】      （修正有）【課題】複雑な操作を必要とせず、子供が簡便に市販の音楽ＣＤを使用してカラオケ遊びをすることができるカラオケ玩具を提供する。【解決手段】電源部、音楽記録媒体再生手段２、マイクロフォン８、音声信号合成手段、増幅器及びスピーカーからなるカラオケ玩具１であって、前記カラオケ玩具１本体にマイクロフォンスタンド１３を一体に形成或いは着脱自在に装着する。前記音楽記録媒体再生手段がＣＤプレイヤー２である。玩具本体の容積が５０００ｃｍ３以下である。【選択図】図５
0003113851.tif 000002
【実用新案登録請求の範囲】
【請求項１】
電源部、音楽記録媒体再生手段、マイクロフォン、音声信号合成手段、増幅器及びスピーカーからなるカラオケ玩具であって、前記カラオケ玩具本体にマイクロフォンスタンドが一体に形成或いは着脱自在に装着されてなることを特徴とするカラオケ玩具。
【請求項２】
前記音楽記録媒体再生手段がＣＤプレイヤーであることを特徴とする請求項１記載のカラオケ玩具。
【請求項３】
玩具本体の容積が５０００ｃｍ３以下であることを特徴とする請求項１記載のカラオケ玩具。
【考案の詳細な説明】
【技術分野】
【０００１】
本考案は、カラオケ玩具に関する。更には、子供が簡便に好みの曲でカラオケ遊びを楽しむことができるカラオケ玩具に関する。
【背景技術】
【０００２】
従来より、子供用のカラオケ玩具に関し、いくつかの提案がなされている（例えば、特許文献１、特許文献２参照）。
【特許文献１】特開平９−３１１６８８号公報
【特許文献２】特開２００３−３２３１８７号公報
【考案の開示】
【考案が解決しようとする課題】
【０００３】
しかしながら、前記従来のカラオケ玩具は音楽記録媒体としてＲＯＭカートリッジを使用するものであり、一般の消費者が好みの曲が収容されたＲＯＭカートリッジを購入することが困難であるという問題があった。
また業務用或いは家庭用カラオケ装置は大型であり持ち運びが困難であったり、操作が煩雑であるという理由で子供が扱い難いものであった。
【０００４】
本考案は、小型で持ち運びも容易であり、子供が好みの曲で簡便にカラオケ遊びができる安価なカラオケ玩具を提供しようとするものである。
【課題を解決するための手段】
【０００５】
本考案は、電源部、音楽記録媒体再生手段、マイクロフォン、音声信号合成手段、増幅器及びスピーカーからなるカラオケ玩具であって、前記カラオケ玩具本体にマイクロフォンスタンドが一体に形成或いは着脱自在に装着されてなることを要件とする。
更には前記音楽記録媒体再生手段がＣＤプレーヤーであること、玩具本体の容積が５０００ｃｍ３以下であること等を要件とする。
【考案の効果】
【０００６】
本考案のカラオケ玩具は前記構成とすることにより、市販の音楽ＣＤや独自に編集したＣＤ−Ｒ等を用いて、子供が好みの曲を自由に選択してカラオケ遊びが楽しめるものである。また、マイクロフォンスタンドを歌唱者が立って歌う状態に適した長さにセットすることにより、あたかも歌手が歌うかのように遊ぶことができ、子供の興趣を満足させることができるという特徴を有する。
更には、家庭用カラオケ装置に比較して小さいために、子供が自分で持ち運ぶことができ、屋内、屋外の場所を選ばず遊ぶことができるという特徴も備えている。
【考案を実施するための最良の形態】
【０００７】
本考案のカラオケ玩具は電源部から音楽媒体再生手段の駆動と音声信号の増幅のための電力を供給する。音楽媒体再生手段及びマイクロフォンからの音声信号を音声信号合成手段により合成し、合成された音声信号を増幅器で増幅してスピーカーから出力する。
【０００８】
前記電源部はコスト、携帯性及び重量の観点から乾電池が好適に用いられ、マンガン電池の他に、アルカリ電池やオキシライド電池等の高起電力を発するものも使用できる。また家庭用の交流電源を用いる構成としてもよい。
【０００９】
前記音楽媒体再生手段は取り扱いの容易さからＣＤプレーヤーが好適に用いられるが、カセットテーププレーヤー等を選択することもできる。
【００１０】
前記マイクロフォンは玩具本体から導出されたケーブルに接続されるが、前記ケーブルは着脱不能に構成してもよいし、ケーブル先端にプラグを、玩具本体にジャックを装備することにより着脱可能とすることもできる。
【実施例】
【００１１】
本考案の実施例を以下の図面に従って説明する。
図１は本考案のカラオケ玩具の正面図、図２は側面図、図３は背面図である。
本考案のカラオケ玩具は音楽記録媒体再生手段としてＣＤプレーヤーを装備している。電源部１２に乾電池をセットし、電源スイッチ５で電源を入れる。音楽ＣＤをＣＤプレーヤー部２にセットし操作ボタン３により再生、トラック選択、停止の操作を行う。音量調節ダイヤル６により音量を調節し、マイク８を用いて再生されている曲にあわせて歌うことにより、ＣＤに録音されている音楽と歌唱者の歌が同時にスピーカー１１から出力される。
【００１２】
このときマイクロフォンスタンド１３を子供の身長に適した長さに調節し、玩具本体１に備えられたマイクスタンド装着部１０に装着することにより子供が歌手のように立って歌うことができる。
本実施例においては、マイクロフォンスタンドは着脱可能な構成であるが、カラオケ玩具本体と一体に形成されていてもよい。
【図面の簡単な説明】
【００１３】
【図１】本考案のカラオケ玩具の実施例を示す正面図である。
【図２】図１のカラオケ玩具の側面図である。
【図３】図１のカラオケ玩具の背面図である。
【図４】本考案のカラオケ玩具に用いるマイクロフォンスタンドの斜視図である。
【図５】本考案のカラオケ玩具にマイクロフォンスタンドを装着した図である。
【符号の説明】
【００１４】
１    カラオケ玩具本体
２    ＣＤプレーヤー部
３    操作部
４    表示部
５    音量調節ダイヤル
６    電源スイッチ
７    マイクロフォンホルダー
８    マイクロフォン
９    マイクロフォンケーブル
１０  マイクロフォンススタンド装着部
１１  スピーカー
１２  電源部
１３  マイクロフォンススタンド
【図１】
0003113851.tif 000003
【図２】
0003113851.tif 000004
【図３】
0003113851.tif 000005
【図４】
0003113851.tif 000006
【図５】
0003113851.tif 000007
(57)【要約】【課題】太陽熱のみで充分に高温な温水を供給することのできる太陽熱温水器を提供する。【解決手段】太陽熱のみで四季を通じて高温の温水を供給する温水器であって、少なくとも、太陽熱を吸収し、その熱で内部を循環する水を温める集熱板１と、集熱板１で温めた温水を蓄えるタンク２と、タンク２またはその近傍に取り付けられ、太陽熱で発電する太陽電池３と、集熱板１に取り付けられ、太陽電池３で作動して放熱し、その熱を集熱板１に供給するサーモモジュール４と、で構成する。【選択図】      図１
0003113895.tif 000002
【実用新案登録請求の範囲】
【請求項１】
太陽熱のみで四季を通じて高温の温水を供給する温水器であって，少なくとも、太陽熱を吸収し，その熱で内部を循環する水を温める集熱板（１）と、前記集熱板で温めた温水を蓄えるタンク（２）と、前記タンクまたはその近傍に取り付けられ，太陽熱で発電する太陽電池（３）と、前記集熱板に取り付けられ，前記太陽電池で作動して放熱し，その熱を前記集熱板に供給するサーモモジュール（４）と、からなる太陽熱温水器。
【考案の詳細な説明】
【技術分野】
【０００１】
本考案は、太陽熱のみを利用して、充分に高温な温水を供給することのできる太陽熱温水器に関するものである。
【背景技術】
【０００２】
従来から、太陽熱を利用した太陽熱温水器が広く使用されている。この太陽熱温水器は、太陽熱が強い夏季においては充分に高温な温水を供給することができるが、太陽熱が弱いその他の季節ではそうした高温の温水を供給することができず、従って、さらに、５℃〜１０℃の温度上昇が求められている。
【考案の開示】
【考案が解決しようとする課題】
【０００３】
そのため、太陽熱温水器にＡＣ電源を利用した１ｋｗ〜２ｋｗの電気ヒーターを内蔵したものが考えられているが、商用電源を使用するためコストが嵩み、また、加温効果も必ずしも充分とは言えない。
【０００４】
本考案はこうした問題に鑑み創案されたもので、四季を通じて、太陽熱のみで充分に高温な温水を供給することのできる太陽熱温水器を提供することを課題とする。
【課題を解決するための手段】
【０００５】
図１および図２を参照して説明する。請求項１に記載の考案は、太陽熱のみで四季を通じて高温の温水を供給する温水器であって、少なくとも、太陽熱を吸収し、その熱で内部を循環する水を温める集熱板１と、前記集熱板１で温めた温水を蓄えるタンク２と、前記タンク２またはその近傍に取り付けられ、太陽熱で発電する太陽電池３と、前記集熱板１に取り付けられ、前記太陽電池３で作動して放熱し、その熱を前記集熱板１に供給するサーモモジュール４と、からなる。なお、サーモモジュール４は、ペルチェ素子または熱電素子としても知られている電子部品である。
【考案の効果】
【０００６】
請求項１に記載の考案は、太陽熱を吸収し、その熱で水を温める集熱板１と、太陽電池３で作動して放熱し、その熱を集熱板１に供給するサーモモジュール４とによって、充分に高温な温水を供給することができる。従って、従来のような商用電源で作動する電気ヒーターを使用する必要がなく、コストの低減化を図ることができる。
【０００７】
また、例えば、１５０℃以上の発熱能力を備えたサーモモジュール４を使用することによって、冬などの太陽熱が弱い季節でも、充分に高温の温水を容易に供給することができる。
【考案を実施するための最良の形態】
【０００８】
本考案に係る太陽熱温水器の実施形態を、図１および図２に示す。これは、太陽熱のみで四季を通じて高温の温水を供給するもので、少なくとも、集熱板１、タンク２、太陽電池３、およびサーモモジュール４を備え、建物の屋根Ｒに取り付けられるものである。なお、太陽熱温水器と屋根Ｒとの間には、冷却用の通風開口部Ｓを形成している。なお、図中、５は配線を示し、６は保護箱を示す。また、Ｗは水（温水）の流れを示す。
【０００９】
集熱板１は、太陽熱によって加熱され、その熱で内部を循環する水を温めるものである。タンク２は、集熱板１で温めた温水を蓄えるものである。また、このタンク２には、必要量の水が自動的に供給される給水口２ａと、温水を供給する給湯口２ｂを備えている。
【００１０】
太陽電池３は、タンク２の上面に取り付けられ、太陽熱で発電する。本実施形態における太陽電池３は、直流２４Ｖのものを使用している。
【００１１】
サーモモジュール４は、集熱板１の上面に複数取り付けられ、太陽電池３からの電力で作動して、その上面で吸熱（冷却）し、その下面で放熱（加熱）する。この下面を、集熱板１に接触させることによって、当該集熱板１を加熱し、その内部を循環する水を温めるものである。本実施形態におけるサーモモジュール４は、１５０℃〜２００℃の発熱能力を持つものを使用している。
【００１２】
本実施形態に係る太陽熱温水器は、集熱板１と、太陽電池３で作動して放熱するサーモモジュール４とによって、充分に高温な温水を供給することができるので、商用電源で作動する電気ヒーターを使用する必要がない。従って、太陽熱のみで高温の温水を供給することができ、コストを削減することができる。
【００１３】
また、本実施形態では、そのサーモモジュール４を、１５０℃〜２００℃の発熱能力を持つものとしているので、夏季以外の季節でも、充分に高温の温水を容易に供給することができる。
【００１４】
なお、本実施形態では、サーモモジュール４を集熱板１の上面に設けて、当該サーモモジュール４の下面から放熱させることによって、集熱板１を加熱しているが、本発明はこれに限定されず、例えば、集熱板１の下面に設けて、サーモモジュール４の上面から放熱させることによって、集熱板１を加熱することもできる。なお、サーモモジュール４の放熱面および吸熱面は、直流電極の正負を逆に設定することによって容易に変更することができる。
【００１５】
また、本実施形態では、太陽電池３をタンク２の上面に設けているが、これに限定されるものではなく、例えば、屋根Ｒの上に直接設けることもできる。
【図面の簡単な説明】
【００１６】
【図１】本考案に係る太陽熱温水器の実施形態を示す平面構成図である。
【図２】図１に示す太陽熱温水器の側面構成図である。
【符号の説明】
【００１７】
１      集熱板
２      タンク
２ａ    給水口
２ｂ    給湯口
３      太陽電池
４      サーモモジュール
５      配線
６      保護箱
Ｒ      屋根
Ｓ      通風開口部
Ｗ      水（温水）
【図１】
0003113895.tif 000003
【図２】
0003113895.tif 000004